(57)【要約】      （修正有）【課題】防塵機能のみでなく、安全性を有し、かつ組込も容易なシャッター機構を提供する。【解決手段】シャッター機構は刃受カバー１と摺動用突起とシャッター２と板バネ３とシャッターホルダー４を備え、刃受カバー１にシャッター２を当接させ係止用段部を形成すると共に、シャッター２の両側面に刻設した摺動溝２ａは斜め下方にシャッター２を摺動させる傾斜溝部２ａａと、シャッター２は非挿通時に刃受カバー１の栓刃挿通孔１ａとシャッター２の片方のシャッター栓刃挿通孔２ｄとは閉鎖状態となり、刃受カバー１の栓刃挿通孔１ａにプラグ栓刃を挿通させ一旦直下に移動して斜め下方に摺動することにより栓刃挿通孔１ａの片方とシャッター２の片方のシャッター栓刃挿通孔２ｄとが挿通状態となり一対の栓刃挿通孔１ａの片方の直下から前記シャッター２がずれているものである。【選択図】図１
2011060533.tif 000002
【特許請求の範囲】
【請求項１】
刃受金具を内装したタップ又はコンセントのプラグ栓刃を挿通させる栓刃挿通孔のシャッター機構であって、一対のプラグ栓刃を挿通させる一対の栓刃挿通孔を貫設し下方を開口させた略函状の刃受カバーと、該刃受カバーの内側壁の両側の前記一対の栓刃挿通孔の間に夫々突設した摺動用突起と、該夫々の摺動用突起を挿通させ摺動する摺動溝を両側面に刻設し略平坦状上面に片方のプラグ栓刃を挿通させるシャッター栓刃挿通孔を穿設した略断面コ字状のシャッターと、該シャッターの両側面の下辺に自由端を接触させて絶えず前記刃受カバーの天板方向に弾性を付与する該刃受カバーに基端を片持ちさせた板バネと、前記刃受カバーの開口に嵌合させる一対のホルダー栓刃挿通孔を貫設したシャッターホルダーとを備え、前記刃受カバーに前記シャッターを当接させた片方に下方のみに移動させるための係止用段部を形成すると共に、前記シャッターの両側面に刻設した摺動溝は斜め下方に該シャッターを摺動させる傾斜溝部と、該傾斜溝部の両側端に前記摺動用突起を上方と下方とで係止させる上下に係止溝部を延設させ、前記シャッターはプラグ栓刃の非挿通時には前記刃受カバーの一対の栓刃挿通孔と前記シャッターの片方のシャッター栓刃挿通孔とは位置がづれており閉鎖状態となり、前記刃受カバーの一対の栓刃挿通孔に一対のプラグ栓刃を挿通させ一旦直下に移動して斜め下方に摺動することにより前記一対の栓刃挿通孔の片方と前記シャッターの片方のシャッター栓刃挿通孔とが挿通状態となり前記一対の栓刃挿通孔の片方の直下から前記シャッターがづれていることを特徴とするシャッター機構。
【発明の詳細な説明】
【技術分野】
【０００１】
本発明はタップ又はコンセントにプラグ栓刃を挿通させる栓刃挿通孔のシャッター機構に関するものであり、更に、詳細には、使用していない時は閉鎖されており、プラグ栓刃を挿通させると一旦直下に移動し、次いで、斜め下方に摺動して挿通状態とさせるシャッター機構に関するものである。
【背景技術】
【０００２】
従来、この種のシャッター機構は各種開発されているが、単に塵芥が入らないように可撓性を有する絶縁性の合成樹脂をフラップ状に取り付けたものであった。
【先行技術文献】
【特許文献】
【０００３】
【特許文献１】特開２００７−１０３２５５号公報  その為に、例えば、先に開示されている、テーブルタップは、プラグの一対の栓刃がそれぞれ挿入される一対の栓刃挿入孔３ａ，３ｂを備える筐体１と、栓刃挿入孔３ａ，３ｂに挿入された栓刃がそれぞれ接触接続される刃受部２１，２６と、各一対の栓刃挿入孔３ａ，３ｂと刃受部２１，２６との間に介在される中枠６と、栓刃挿入孔３ａ，３ｂと中枠６との間に、スライド移動自在に介装されて一対の栓刃挿入孔３ａ，３ｂを開閉する扉部４、及び扉部４が栓刃挿入孔３ａ，３ｂを閉じる位置に移動するように扉部４を栓刃挿入孔側へ押圧するばね部材５からなる開閉手段と、筐体１内側における一対の栓刃挿入孔３ａ，３ｂの周縁部に一体成形され、扉部４が一対の栓刃挿入孔３ａ，３ｂを閉じた状態で、扉部４と密着する内側パッキン部３２とを備えているものがある。
【特許文献２】実開２００７−３３５２６９号公報  また、テーブルタップ１は、厚み方向の寸法が最も小さい箱状に形成され、厚み方向に直交する方向を法線方向とする一面にプラグの栓刃が挿入される栓刃挿入孔５１ａを有するプラグ接続部５１ｂが設けられた筐体２と、該筐体２に収納されてプラグ接続部５１ｂから筐体２内に挿入されたプラグの栓刃が接続される刃受部３０，４０と、プラグ接続部５１ｂと刃受部との間にスライド移動自在に介装されてプラグ接続部５１ｂを開閉する扉部５３と、該扉部５３がプラグ接続部５１ｂを閉じる位置に位置するように扉部５３を押圧する弾性部材５４と、筐体２内側におけるプラグ接続部５１ｂの周縁部に設けられ、扉部５３がプラグ接続部５１ｂを閉じている状態で、扉部５３に弾接するとともにプラグ接続部５１ｂを囲繞する防水部５２とを備える等が開示されている。
【発明の概要】
【発明が解決しようとする課題】
【０００４】
然し乍ら、これらに開示されている特許文献１〜２のシャッター機構は、各一対の栓刃挿入孔３ａ，３ｂと刃受部２１，２６との間に介在される中枠６と、栓刃挿入孔３ａ，３ｂと中枠６との間に、スライド移動自在に介装されて一対の栓刃挿入孔３ａ，３ｂを開閉する扉部４、及び扉部４が栓刃挿入孔３ａ，３ｂを閉じる位置に移動するように扉部４を栓刃挿入孔側へ押圧するばね部材５からなる開閉手段と、を設けており、開閉する扉部４はスライド軸となるとともに回転軸となる略円柱状の突部４３．４３が一体に突設しており、可動する構造が複雑であり、更に、扉部４と密着する内側パッキン部３２と、又は、プラグ接続部５１ｂを囲繞する防水部５２と、を備えており、組立に手間暇係るものである。
【課題を解決するための手段】
【０００５】
本発明は前記課題に鑑み、鋭意研鑽の結果、これらの課題を解決するもので、プラグ栓刃を挿通させる栓刃挿通孔を貫設し下方を開口させた略函状の刃受カバーと、刃受カバーの内側壁の両側の栓刃挿通孔の間に突設した摺動用突起と、摺動用突起を挿通させ摺動する摺動溝を両側面に刻設し略平坦状上面に片方のプラグ栓刃を挿通させるシャッター栓刃挿通孔を穿設したシャッターと、シャッターの両側面の下辺に自由端を接触させて絶えず刃受カバーの天板方向に弾性を付与する刃受カバーに基端を片持ちさせた板バネと、刃受カバーの開口に嵌合させる一対のホルダー栓刃挿通孔を貫設したシャッターホルダーとを備え、刃受カバーにシャッターを当接させた片方に下方のみに移動させるための係止用段部を形成すると共に、シャッターの両側面に刻設した摺動溝は斜め下方にシャッターを摺動させる傾斜溝部と、傾斜溝部の両側端に摺動用突起を上方と下方とで係止させる上下に係止溝部を延設させ、シャッターはプラグ栓刃の非挿通時には刃受カバーの一対３の栓刃挿通孔とシャッターの片方のシャッター栓刃挿通孔とは位置がづれており閉鎖状態となり、刃受カバーの栓刃挿通孔にプラグ栓刃を挿通させ一旦直下に移動して斜め下方に摺動することにより栓刃挿通孔の片方とシャッターの片方のシャッター栓刃挿通孔とが挿通状態となり栓刃挿通孔の片方の直下からシャッターがづれているものである。
【発明の効果】
【０００６】
前述の如く構成した本発明のシャッター機構は、刃受カバーと、シャッターと、板バネと、シャッターホルダーとを備え、刃受カバーにシャッターを当接させた片方に一旦下方に移動させるための係止用段部を形成すると共に、シャッターの両側面に刻設した摺動溝は斜め下方にシャッターを摺動させる傾斜溝部と、傾斜溝部の両側端に摺動用突起を上方と下方とで係止させる上下に係止溝部を延設させ、シャッターはプラグ栓刃の非挿通時には刃受カバーの一対の栓刃挿通孔とシャッターの片方のシャッター栓刃挿通孔とは位置がづれており閉鎖状態となり、刃受カバーの一対の栓刃挿通孔に一対のプラグ栓刃を挿通させ一旦直下に移動して斜め下方に摺動することにより一対の栓刃挿通孔の片方とシャッターの片方のシャッター栓刃挿通孔とが挿通状態となり一対の栓刃挿通孔の片方の直下からシャッターがづれていることにより、プラグ栓刃の非挿通時には一対の栓刃挿通孔が閉鎖状態となり、一対の栓刃挿通孔うち一方の栓刃挿通孔に幼児等が物を差し込もうとしたり、誤って一方だけのプラグ栓刃を差し込もうとしても、刃受カバーの係止用段部と摺動溝の係止溝部と板バネとの作用により摺動不可能で、従って、挿通することが不可能で、一対のプラグ栓刃を一対の栓刃挿通孔に同時に差し込むことによりシャッターは一旦直下に摺動し、次いで、摺動溝を斜め下方に摺動するものであり、防塵機能のみでなく、安全性も有しており、組込も容易なもので、画期的で実用性の高いものである。
【図面の簡単な説明】
【０００７】
【図１】図１は本発明のシャッター機構の実施例の分解斜視図である。
【図２】図２は本発明のシャッター機構の実施例の組込状態の平面図である。
【図３】図３は本発明のシャッター機構の実施例の組込状態の正面図である。
【図４】図４は本発明のシャッター機構の実施例の図２におけるＸ−Ｘ線断面である。
【図５】図５は本発明のシャッター機構の実施例の図２におけるＹ−Ｙ線断面である。
【発明を実施するための形態】
【実施例１】
【０００８】
以下、本発明のシャッター機構の実施の形態を図面によって、具体的に説明する。
【０００９】
本発明はタップ又はコンセントにプラグ栓刃を挿通させる栓刃挿通孔のシャッター機構に関するものであり、更に、詳細には、使用していない時は閉鎖されており、プラグ栓刃を挿通させると一旦直下に移動し、次いで、斜め下方に摺動して挿通状態とさせるシャッター機構に関するものであり、刃受金具（図示しない）を内装したタップ又はコンセントのプラグ栓刃（図示しない）を挿通させる栓刃挿通孔のシャッター機構であって、一対のプラグ栓刃を挿通させる一対の栓刃挿通孔１ａを貫設し下方を開口させた略函状の刃受カバー１と、該刃受カバー１の内側壁の両側の前記一対の栓刃挿通孔１ａの間に夫々突設した摺動用突起１ｂと、該夫々の摺動用突起１ｂを挿通させ摺動する摺動溝２ａを両側面２ｂに刻設し略平坦状上面２ｃに片方のプラグ栓刃を挿通させるシャッター栓刃挿通孔２ｄを穿設した略断面コ字状のシャッター２と、該シャッター２の両側面２ｂの下辺に自由端３ａを接触させて絶えず前記刃受カバー１の天板方向に弾性を付与する該刃受カバー１に基端３ｂを片持ちさせた板バネ３と、前記刃受カバー１の開口に嵌合させる一対のホルダー栓刃挿通孔４ａを貫設したシャッターホルダー４とを備え、前記刃受カバー１に前記シャッター２を当接させた片方に下方のみに移動させるための係止用段部１ｃを形成すると共に、前記シャッター２の両側面２ｂに刻設した摺動溝２ａは斜め下方に該シャッター２を摺動させる傾斜溝部２ａａと、該傾斜溝部２ａａの両側端に前記摺動用突起１ｂを上方と下方とで係止させる上下に係止溝部２ａｂを延設させ、前記シャッター２はプラグ栓刃の非挿通時には前記刃受カバー１の一対の栓刃挿通孔１ａと前記シャッター２の片方のシャッター栓刃挿通孔２ｄとは位置がづれており閉鎖状態となり、前記刃受カバー１の一対の栓刃挿通孔１ａに一対のプラグ栓刃を挿通させ一旦直下に移動して斜め下方に摺動することにより前記一対の栓刃挿通孔１ａの片方と前記シャッター２の片方のシャッター栓刃挿通孔２ｄとが挿通状態となり前記一対の栓刃挿通孔１ａの片方の直下から前記シャッター２がづれていることを特徴とするものである。
【００１０】
即ち、本発明のシャッター機構は、内部に一対の刃受金具を内装し、プラグ栓刃を挿通させることにより、電気的接続を行うタップやコンセントの不使用状態において塵芥が侵入しないように栓刃挿通孔１ａを閉鎖するものである。
【００１１】
そして、刃受カバー１は、上面に一対のプラグ栓刃を挿通させる一対の栓刃挿通孔１ａを貫設しており、上面の外周縁部には図示しないタップ等の本体ケーシングに裏側から挿通固定する外周段部１ｄを形成し、下方は開口した略函状のもので、開口には後述するシャッターホルダー４で閉鎖すると共に、後述するシャッター２と板バネ３を内装するものである。
【００１２】
次に、摺動用突起１ｂは、略函状の刃受カバー１の内側壁の一対の栓刃挿通孔１ａの間の両側に夫々突設している略短円柱状のもので、後述するシャッター２の両側面２ｂに刻設した摺動溝２ａに挿入させるものである。
【００１３】
次いで、シャッター２は、略平坦状上面２ｃと、該略平坦状上面２ｃの縁部から垂直方向に夫々延設した両側面２ｂとの少なくとも一部が略断面コ字状に形成しているもので、略平坦状上面２ｃには片方のプラグ栓刃を挿通させる１つだけのシャッター栓刃挿通孔２ｄを穿設しており、更に、略平坦状上面２ｃには刃受カバー１の一対の栓刃挿通孔１ａを閉鎖時に密着して閉鎖するように上方に膨出させた
閉鎖用突条２ｅを夫々形成し、両側面２ｂの夫々の外方には摺動溝２ａを刻設しているもので、摺動溝２ａには摺動用突起１ｂを挿通させものである。
【００１４】
更に、板バネ３は、刃受カバー１に基端３ｂを片持ちさせ、自由端３ａをシャッター２の両側面２ｂの下端に接触させ、シャッター２に絶えず刃受カバー１の天板方向に弾性を付与するためのものである。
【００１５】
更には、シャッターホルダー４は、刃受カバー１の下方の開口に嵌合させるもので、上面の栓刃挿通孔１ａと合致する位置には一対のホルダー栓刃挿通孔４ａを貫設しているものである。
【００１６】
また、係止用段部１ｃは、図５に図示したように、刃受カバー１とシャッター２を当接させた片方に下方のみに移動させるため上下方向に形成されているもので、シャッター２の上面の角部が閉鎖状態では当接しているものである。
【００１７】
そして、摺動溝２ａは、シャッター２の両側面２ｂに刻設しているもので、シャッター２を斜め下方に摺動させるように、斜め方向に刻設した傾斜溝部２ａａと、該傾斜溝部２ａａの両側端に摺動用突起１ｂを上方と下方とで係止させる上下に係止溝部２ａｂを夫々延設させたもので、図５に図示したように、シャッター２の閉鎖時の摺動用突起１ｂは下の係止溝部２ａｂで係止され、プラグ栓刃の挿通時には摺動用突起１ｂは上の係止溝部２ａｂで係止されているものである。
【００１８】
更に、シャッター２はプラグ栓刃の非挿通時には、図４に図示したように、刃受カバー１の一対の栓刃挿通孔１ａとシャッター２の片方のシャッター栓刃挿通孔２ｄとは位置がづれており閉鎖状態となるものである。
【００１９】
更には、刃受カバー１の一対の栓刃挿通孔１ａに板バネ３の弾性に抗して一対のプラグ栓刃を挿通させると、シャッター２は係止用段部１ｃと摺動溝２ａの下の係止溝部２ａｂと板バネ３との作用により一旦直下に移動して、次いで、斜め下方に摺動するもので、このことにより、一対の栓刃挿通孔１ａの片方とシャッター２の片方のシャッター栓刃挿通孔２ｄとが垂直方向での位置が合致すると共に、シャッター２の端辺も斜め下方に摺動することから、他方の栓刃挿通孔１ａの直下からづれており、一対のプラグ栓刃が一対の栓刃挿通孔１ａに挿通状態となるものである。
【００２０】
また、板バネ３の自由端３ａが接触しているシャッター２の底辺は傾斜させており、シャッター２が斜め下方に摺動する程板バネ３の弾性を強くするようにして、プラグ栓刃を引き抜くとシャッター２が閉鎖位置にスムーズに戻るようにしているものである。
【００２１】
更には、刃受カバー１に形成した係止用段部１ｃの下方はシャッター２の摺動溝２ａの傾斜溝部２ａａに沿って斜め下方の摺動に合致するように傾斜面としているものである。
【産業上の利用可能性】
【００２２】
本発明のシャッター機構は、刃受カバーと、シャッターと、板バネと、シャッターホルダーとを備え、刃受カバーにシャッターを当接させた片方に一旦下方に移動させるための係止用段部を形成すると共に、シャッターの両側面に刻設した摺動溝は斜め下方にシャッターを摺動させる傾斜溝部と、傾斜溝部の両側端に摺動突起を上方と下方とで係止させる上下に係止溝部を延設させ、シャッターはプラグ栓刃の非挿通時には刃受カバーの一対の栓刃挿通孔とシャッターの片方のシャッター栓刃挿通孔２ｄとは位置がづれており閉鎖状態となり、刃受カバーの一対の栓刃挿通孔に一対のプラグ栓刃を挿通させ一旦直下に移動して斜め下方に摺動することにより一対の栓刃挿通孔の片方とシャッターの片方のシャッター栓刃挿通孔とが挿通状態となり一対の栓刃挿通孔の片方の直下からシャッターがづれていることにより、プラグ栓刃の非挿通時には一対の栓刃挿通孔が閉鎖状態となり、一対の栓刃挿通孔うち一方の栓刃挿通孔に幼児等が物を差し込もうとしたり、誤って一方だけのプラグ栓刃を差し込もうとしても、刃受カバーの係止用段部と摺動溝の係止溝部と板バネとの作用により摺動不可能で、従って、挿通することが不可能で、一対のプラグ栓刃を一対の栓刃挿通孔に同時に差し込むことによりシャッターは一旦直下に摺動し、次いで、摺動溝を斜め下方に摺動するものであり、防塵機能のみでなく、安全性も有しており、組込も容易なシャッター機構を提供するものである。
【符号の説明】
【００２３】
１      刃受カバー
１ａ    栓刃挿通孔
１ｂ    摺動用突起
１ｃ    係止用段部
１ｄ    外周段部
２      シャッター
２ａ    摺動溝
２ａａ  傾斜溝部
２ａｂ  係止溝部
２ｂ    両側面
２ｃ    略平坦状上面
２ｄ    シャッター栓刃挿通孔
２ｅ    閉鎖用突条
３      板バネ
３ａ    自由端
３ｂ    基端
４      シャッターホルダー
４ａ    ホルダー栓刃挿通孔
【図１】
2011060533.tif 000003
【図２】
2011060533.tif 000004
【図３】
2011060533.tif 000005
【図４】
2011060533.tif 000006
【図５】
2011060533.tif 000007